(57)【要約】【課題】  記憶媒体中の楽曲を再生する楽曲再生装置において、記憶媒体中の楽曲の削除候補を、ユーザの嗜好を反映して絞り込む。【解決手段】  車載楽曲再生装置は、記憶媒体に記録するための楽曲データを格納するために必要な空き領域が当該記憶媒体にないとき、当該記憶媒体中の楽曲から、（１）ユーザがあらかじめ削除候補として選択した楽曲、（２）アルバム内楽曲連続再生中に再生がスキップされた回数が所定基準より多い楽曲、（３）再生回数が所定基準以上に多いアーティストの楽曲のうち最も再生回数が少ない楽曲またはアルバム、および（４）再生回数が所定基準以上に多いアーティストの楽曲のうち最も再生回数が少ない楽曲またはアルバムを、削除候補曲として抽出してユーザに表示し、削除候補曲からのユーザによる削除対象曲の選択を受け付け、受け付けた削除対象曲を前記記憶媒体から削除する。【選択図】 図４
2006196048.tif 000002
【特許請求の範囲】
【請求項１】
書き換え可能な記憶媒体と、
前記記憶媒体に記録された楽曲データを読み出して再生する楽曲再生手段と、
前記記憶媒体に記録するための楽曲データを受け付ける楽曲受付手段と、
前記受付手段が受け付けた楽曲データを格納するために必要な空き領域が前記記憶媒体にないとき、前記記憶媒体中の楽曲から、アルバム内楽曲連続再生中に再生がスキップされた回数が所定基準より多い楽曲を、削除候補曲として抽出してユーザに表示する候補表示手段と、
前記候補表示手段が表示した削除候補曲からのユーザによる削除対象曲の選択を受け付ける選択受付手段と、
前記選択受付手段が受け付けた削除対象曲を前記記憶媒体から削除する楽曲削除手段と、
前記受付手段が受け付けた楽曲データを前記記憶媒体に記録する楽曲記録手段と、を備えた車載楽曲再生装置。
【請求項２】
書き換え可能な記憶媒体と、
前記記憶媒体に記録された楽曲データを読み出して再生する楽曲再生手段と、
前記記憶媒体に記録するための楽曲データを受け付ける楽曲受付手段と、
前記受付手段が受け付けた楽曲データを格納するために必要な空き領域が前記記憶媒体にないとき、前記記憶媒体中の楽曲から、再生回数が所定基準以上に多いアーティストの楽曲のうち最も再生回数が少ない楽曲またはアルバムを、削除候補曲として抽出してユーザに表示する候補表示手段と、
前記候補表示手段が表示した削除候補曲からのユーザによる削除対象曲の選択を受け付ける選択受付手段と、
前記選択受付手段が受け付けた削除対象曲を前記記憶媒体から削除する楽曲削除手段と、
前記受付手段が受け付けた楽曲データを前記記憶媒体に記録する楽曲記録手段と、を備えた車載楽曲再生装置。
【請求項３】
書き換え可能な記憶媒体と、
前記記憶媒体に記録された楽曲データを読み出して再生する楽曲再生手段と、
前記記憶媒体に記録するための楽曲データを受け付ける楽曲受付手段と、
前記受付手段が受け付けた楽曲データを格納するために必要な空き領域が前記記憶媒体にないとき、前記記憶媒体中の楽曲から、再生回数が所定基準より少ないアーティストの楽曲またはアルバムを、削除候補曲として抽出してユーザに表示する候補表示手段と、
前記候補表示手段が表示した削除候補曲からのユーザによる削除対象曲の選択を受け付ける選択受付手段と、
前記選択受付手段が受け付けた削除対象曲を前記記憶媒体から削除する楽曲削除手段と、
前記受付手段が受け付けた楽曲データを前記記憶媒体に記録する楽曲記録手段と、を備えた車載楽曲再生装置。
【請求項４】
書き換え可能な記憶媒体と、
前記記憶媒体に記録された楽曲データを読み出して再生する楽曲再生手段と、
前記記憶媒体に記録するための楽曲データを受け付ける楽曲受付手段と、
前記受付手段が受け付けた楽曲データを格納するために必要な空き領域が前記記憶媒体にないとき、前記記憶媒体中の楽曲から、ユーザがあらかじめ削除候補として選択した楽曲を、削除候補曲として抽出してユーザに表示する候補表示手段と、
前記候補表示手段が表示した削除候補曲からのユーザによる削除対象曲の選択を受け付ける選択受付手段と、
前記選択受付手段が受け付けた削除対象曲を前記記憶媒体から削除する楽曲削除手段と、
前記受付手段が受け付けた楽曲データを前記記憶媒体に記録する楽曲記録手段と、を備えた車載楽曲再生装置。
【発明の詳細な説明】
【技術分野】
【０００１】
本発明は、車載楽曲再生装置に関する。
【背景技術】
【０００２】
楽曲データをハードディスク等のメディア（記憶媒体）に記録して再生する従来の車載楽曲再生装置において、メディアの容量に空きがなく、新しい楽曲を記録するには記録済みの楽曲データを削除しなければいけない場合がある。このような場合に、車載楽曲再生装置は、削除候補楽曲のリストを表示し、ユーザにどの曲をメディアから削除するかを選択させるようになっている。
【発明の開示】
【発明が解決しようとする課題】
【０００３】
しかし、削除候補楽曲は、名前順、記録日順等で表示されているようになっており、ユーザが聞きたくない楽曲を削除候補楽曲としているわけではない。
【０００４】
本発明は上記点に鑑み、記憶媒体中の楽曲を再生する楽曲再生装置において、記憶媒体中の楽曲の削除候補を、ユーザの嗜好を反映して絞り込むことを目的とする。
【課題を解決するための手段】
【０００５】
上記目的を達成するための請求項１に記載の発明は、書き換え可能な記憶媒体と、前記記憶媒体に記録された楽曲データを読み出して再生する楽曲再生手段と、前記記憶媒体に記録するための楽曲データを受け付ける楽曲受付手段と、前記受付手段が受け付けた楽曲データを格納するために必要な空き領域が前記記憶媒体にないとき、前記記憶媒体中の楽曲から、アルバム内楽曲連続再生中に再生がスキップされた回数が所定基準より多い楽曲を、削除候補曲として抽出してユーザに表示する候補表示手段と、前記候補表示手段が表示した削除候補曲からのユーザによる削除対象曲の選択を受け付ける選択受付手段と、前記選択受付手段が受け付けた削除対象曲を前記記憶媒体から削除する楽曲削除手段と、前記受付手段が受け付けた楽曲データを前記記憶媒体に記録する楽曲記録手段と、を備えた車載楽曲再生装置である。
【０００６】
このようになっているので、楽曲を記憶媒体に記録して再生する車載楽曲再生装置は、記憶媒体に記録するための楽曲データを格納するために必要な空き領域が当該記憶媒体にないとき、当該記憶媒体中の楽曲から、アルバム内楽曲連続再生中に再生がスキップされた回数が所定基準より多い楽曲を、削除候補曲として抽出してユーザに表示し、削除候補曲からのユーザによる削除対象曲の選択を受け付け、受け付けた削除対象曲を前記記憶媒体から削除する。したがって、この車載楽曲再生装置は、記憶媒体中の楽曲の削除候補を、アルバム内楽曲連続再生中の再生スキップという、ユーザの嗜好を反映して絞り込むことができる。
【０００７】
また、請求項２に記載の発明は、書き換え可能な記憶媒体と、前記記憶媒体に記録された楽曲データを読み出して再生する楽曲再生手段と、前記記憶媒体に記録するための楽曲データを受け付ける楽曲受付手段と、前記受付手段が受け付けた楽曲データを格納するために必要な空き領域が前記記憶媒体にないとき、前記記憶媒体中の楽曲から、再生回数が所定基準以上に多いアーティストの楽曲のうち最も再生回数が少ない楽曲またはアルバムを、削除候補曲として抽出してユーザに表示する候補表示手段と、前記候補表示手段が表示した削除候補曲からのユーザによる削除対象曲の選択を受け付ける選択受付手段と、前記選択受付手段が受け付けた削除対象曲を前記記憶媒体から削除する楽曲削除手段と、前記受付手段が受け付けた楽曲データを前記記憶媒体に記録する楽曲記録手段と、を備えた車載楽曲再生装置である。
【０００８】
このようになっているので、楽曲を記憶媒体に記録して再生する車載楽曲再生装置は、記憶媒体に記録するための楽曲データを格納するために必要な空き領域が当該記憶媒体にないとき、当該記憶媒体中の楽曲から、再生回数が所定基準以上に多いアーティストの楽曲のうち最も再生回数が少ない楽曲アルバムを、削除候補曲として抽出してユーザに表示し、削除候補曲からのユーザによる削除対象曲の選択を受け付け、受け付けた削除対象曲を前記記憶媒体から削除する。したがって、この車載楽曲再生装置は、記憶媒体中の楽曲の削除候補を、好みのアーティストの楽曲のうち再生した回数が最も少ないという、ユーザの嗜好を反映して絞り込むことができる。
【０００９】
また、請求項３に記載の発明は、書き換え可能な記憶媒体と、前記記憶媒体に記録された楽曲データを読み出して再生する楽曲再生手段と、前記記憶媒体に記録するための楽曲データを受け付ける楽曲受付手段と、前記受付手段が受け付けた楽曲データを格納するために必要な空き領域が前記記憶媒体にないとき、前記記憶媒体中の楽曲から、再生回数が所定基準より少ないアーティストの楽曲またはアルバムを、削除候補曲として抽出してユーザに表示する候補表示手段と、前記候補表示手段が表示した削除候補曲からのユーザによる削除対象曲の選択を受け付ける選択受付手段と、前記選択受付手段が受け付けた削除対象曲を前記記憶媒体から削除する楽曲削除手段と、前記受付手段が受け付けた楽曲データを前記記憶媒体に記録する楽曲記録手段と、を備えた車載楽曲再生装置である。
【００１０】
このようになっているので、楽曲を記憶媒体に記録して再生する車載楽曲再生装置は、記憶媒体に記録するための楽曲データを格納するために必要な空き領域が当該記憶媒体にないとき、当該記憶媒体中の楽曲から、再生回数が所定基準より少ないアーティストの楽曲またはアルバムを、削除候補曲として抽出してユーザに表示し、削除候補曲からのユーザによる削除対象曲の選択を受け付け、受け付けた削除対象曲を前記記憶媒体から削除する。したがって、この車載楽曲再生装置は、記憶媒体中の楽曲の削除候補を、特定のアーティストについての楽曲またはアルバムの再生回数が少ないというという、ユーザの嗜好を反映して絞り込むことができる。
【００１１】
また、請求項４に記載の発明は、書き換え可能な記憶媒体と、前記記憶媒体に記録された楽曲データを読み出して再生する楽曲再生手段と、前記記憶媒体に記録するための楽曲データを受け付ける楽曲受付手段と、前記受付手段が受け付けた楽曲データを格納するために必要な空き領域が前記記憶媒体にないとき、前記記憶媒体中の楽曲から、ユーザがあらかじめ削除候補として選択した楽曲を、削除候補曲として抽出してユーザに表示する候補表示手段と、前記候補表示手段が表示した削除候補曲からのユーザによる削除対象曲の選択を受け付ける選択受付手段と、前記選択受付手段が受け付けた削除対象曲を前記記憶媒体から削除する楽曲削除手段と、前記受付手段が受け付けた楽曲データを前記記憶媒体に記録する楽曲記録手段と、を備えた車載楽曲再生装置である。
【００１２】
このようになっているので、楽曲を記憶媒体に記録して再生する車載楽曲再生装置は、記憶媒体に記録するための楽曲データを格納するために必要な空き領域が当該記憶媒体にないとき、当該記憶媒体中の楽曲から、ユーザがあらかじめ削除候補として選択した楽曲を、削除候補曲として抽出してユーザに表示し、削除候補曲からのユーザによる削除対象曲の選択を受け付け、受け付けた削除対象曲を前記記憶媒体から削除する。したがって、この車載楽曲再生装置は、記憶媒体中の楽曲の削除候補を、ユーザ自身の削除意図に基づく選択という、ユーザの嗜好を反映して絞り込むことができる。
【発明を実施するための最良の形態】
【００１３】
以下、本発明の一実施形態について説明する。図１に、本実施形態に係るミュージックサーバ１の構成を示す。ミュージックサーバ１は、画像表示部１０、外部メディアドライブ１１、入力部１２、アンプ１３、スピーカ１４、ハードディスクドライブ（図中ではＨＤＤと記す）１５、処理部１６、ＲＡＭ１７、およびＲＯＭ１８を有している。
【００１４】
画像表示部１０は、処理部１６からの映像信号に基づいた画像表示を行う装置である。
【００１５】
外部メディアドライブ１１は、挿入されたＣＤ（コンパクトディスク）、ＤＶＤ（デジタルバーサタイルディスク）等の楽曲を再生する装置、または、既にディジタル化された音楽データ（例えばＭＰ３データ、Ｏｇｇ−Ｖｏｒｂｉｓデータ）を格納しているメディア（フラッシュメモリカード、メモリスティック、ＳＤカード等）の読み取り装置である。この外部メディアドライブ１１は、処理部１６からの制御に基づいて、その再生音のＰＣＭデータやメディアに格納されたディジタルデータを処理部１６やＲＡＭ１７、ハードディスクドライブ１５に出力する。
【００１６】
入力部１２は、ミュージックサーバ１に設けられた複数のメカニカルスイッチ、画像表示部１０の表示面に重ねて設けられたタッチパネル等の入力装置から成り、ユーザによるメカニカルスイッチの押下、タッチパネルのタッチに基づいた信号等を処理部１６に出力する。
【００１７】
アンプ１３は、処理部１６から受けた音声信号に対して増幅等の処理を行い、その結果の音声信号をスピーカ１４に出力する。
【００１８】
ハードディスクドライブ１５は、ｗａｖ形式、ｗｍｖ形式、ｍｐ３形式、Ｏｇｇ−Ｖｏｒｂｉｓ形式等の楽曲データを記録するための記憶媒体である。また、ハードディスクドライブ１５は、あらかじめ、楽曲毎に、その楽曲の演奏アーティスト名、その楽曲が収録されているアルバム名、そのアルバム内のその楽曲の収録位置（先頭から何番目の曲か等）、その楽曲のデータサイズを対応付ける楽曲情報データベースを記憶している。また処理部１６は、楽曲毎に、その楽曲がミュージックサーバ１において過去何回再生されたかおよび過去何回再生がスキップされたかを記録するための楽曲再生履歴テーブルを記憶している。
【００１９】
処理部（コンピュータに相当する）１６は、ＲＯＭ１８から読み出したミュージックサーバ１の動作のためのプログラムを実行し、その実行の際にはＲＡＭ１７、ＲＯＭ１８、および外部記憶媒体１８から情報を読み出し、ハードディスクドライブ１５およびＲＡＭ１６に対してデータの書き込みを行い、画像表示部１０、外部メディアドライブ１１、入力部１２、アンプ１３とデータや制御信号のやりとりを行う。
【００２０】
具体的には、処理部１６は、ユーザの入力部１２に対する再生指示操作に基づいて、ハードディスクドライブ１５から、その再生指示の内容に応じた楽曲を読み出してアンプ１３に出力する（すなわち楽曲を再生する）。このとき、処理部１６は、ハードディスクドライブ１５の楽曲再生履歴テーブル中における、再生した楽曲の再生回数を１回分だけ増加させる。また処理部１６は、ユーザが入力部１２を用いて特定のアルバムについてのアルバム一連再生を指示する操作を行うことに基づいて、当該アルバム内の楽曲を当該アルバムの収録順に最初から最後まで連続で再生させる。ただし処理部１６は、このようなアルバム一連再生中に、ユーザが入力部１２を用いてスキップする旨の操作を行うことに基づいて、そのとき再生している楽曲の再生を終了し、当該アルバム内の次の楽曲の再生を開始し、楽曲再生履歴テーブル中における、その再生を終了した楽曲のスキップ回数を１回分だけ増加させる。
【００２１】
また、処理部１６は、ユーザの所定の実行開始操作に基づいて、図２にフローチャートで示すような削除候補選択受付プログラム１００を実行する。処理部１６は、この削除候補選択受付プログラム１００の実行において、まずステップ１１０で、ハードディスクドライブ１５に記録されている楽曲の一覧を画像表示部１０に表示させる。図３に、この楽曲一覧表示における画像表示部１０の表示画面２０の一例を示す。表示画面２０中において、複数の楽曲名表示２１〜２３と、それら楽曲名表示のそれぞれに１対１で対応する削除候補選択ボタン２４〜２６がリスト表示されている。なお、楽曲数が多くて１画面中に収まらない場合は、処理部１６は、ユーザの入力部１２に対するスクロール操作に基づいて、画面に表示する楽曲を変化させるようになっている。この削除候補選択ボタン２４〜２６は、タッチパネル上の当該ボタンに対応する位置をタッチする等の方法により、ユーザが入力部１２を用いて選択することで、処理部１６がその選択を検出することができるようになっている。このように、楽曲一覧表示においては、楽曲のリスト表示が、スクロール可能に、かつタッチパネルで選択可能に、表示される。
【００２２】
続いてステップ１２０では、一覧から削除したい曲を１つまたは複数受け付ける。すなわち、ユーザによる入力部１２を用いた削除候補選択ボタン２４〜２６の選択操作に基づいて、ＲＡＭ１７にその選択されたボタンに対応する楽曲名を記録する。ユーザによる入力部１２を用いた選択終了の操作を検出すると、続いてステップ１３０を実行する。
【００２３】
ステップ１３０では、ステップ１２０でＲＡＭ１７に記録した楽曲を、削除候補楽曲として、ＲＡＭ１７またはハードディスクドライブ１５中の所定の位置に記録する。所定の位置としては、例えば削除候補フォルダ（またはディレクトリ）であってもよい。ステップ１３０の後、削除候補選択受付プログラム１００の実行が終了する。
【００２４】
このような削除候補選択受付プログラム１００を処理部１６が実行することで、ミュージックサーバ１は、ユーザがあらかじめ削除候補として選択した楽曲名をＲＡＭ１７またはハードディスクドライブ１５に記録する。
【００２５】
また、処理部１６は、図４に示す楽曲記録プログラム２００を、ユーザの所定の実行開始操作に基づいて実行する。処理部１６は、この楽曲記録プログラム２００の実行において、まずステップ２１０で、ハードディスクドライブ１５に新たに記録した楽曲の選択を受け付ける。具体的には、例えば、外部メディアドライブ１１中のフラッシュメモリカード、メモリスティック、ＳＤカード等の記憶媒体に記録された楽曲名のリストについての、図３に示した表示と同様のユーザが選択可能な表示を行うようになっていてもよい。また、例えば楽曲情報データベース中の楽曲名のリストについての、図３に示した表示と同様のユーザが選択可能な表示を行うようになっていてもよい。ユーザによる入力部１２を用いた選択終了の操作を検出すると、続いてステップ２２０を実行する。
【００２６】
ステップ２２０では、ハードディスクドライブ１５中に、ステップ２１０で選択を受け付けた楽曲を格納するために必要な量の空き領域が存在するか否かを、外部メディアドライブ１１に挿入された記憶媒体中の各楽曲のデータサイズや、楽曲情報データベース中の各楽曲のデータサイズに基づいて判定する。必要な空き容量がある場合、続いてステップ２３０を実行し、必要な空き容量がない場合、続いてステップ２４０を実行する。
【００２７】
ステップ２３０では、ステップ２１０で選択された楽曲データのハードディスクドライブ１５への記録を行う。具体的には、外部メディアドライブ１１に挿入されたＣＤ、ＤＶＤが再生されることによって外部メディアドライブ１１から受けた音声データをハードディスクドライブ１５に録音し、また、外部メディアドライブ１１に挿入されたフラッシュメモリカード、メモリスティック、ＳＤカード等の記憶媒体中の楽曲データをハードディスクドライブ１５に移動またはコピーする。ステップ２３０の後、楽曲記録プログラム２００の実行は終了する。
【００２８】
ステップ２４０では、ハードディスクドライブ１５中に必要な空き領域を設けるための削除候補曲の抽出を行う。具体的には、以下の条件（１）〜（４）に合致するハードディスクドライブ１５中の楽曲を、この（１）〜（４）の順に、ユーザが選択可能に画像表示部１０にリスト表示する。
条件（１）：ハードディスクドライブ１５またはＲＡＭ１７に記録された、ユーザがあらかじめ削除候補として選択した楽曲
条件（２）：楽曲再生履歴テーブル中のスキップ回数が、ハードディスクドライブ１５中のすべての楽曲のうち所定の上位（例えば上位５位以内）である楽曲
条件（３）：ハードディスクドライブ１５中の楽曲に係る全アーティストの再生回数うち所定の上位（例えば上位５位以内）であるアーティストそれぞれについて、そのアーティストの楽曲のうち、楽曲再生履歴テーブル中の再生回数が最も少ない楽曲またはアルバム
条件（４）：ハードディスクドライブ１５中の楽曲に係る全アーティストの再生回数うち所定の下位（例えば下位５位以内）であるアーティストの楽曲またはアルバム
なお、あるアーティストの再生回数については、楽曲再生履歴テーブルの個々の楽曲の再生回数を、楽曲情報データベース中の楽曲名とアーティスト名の対応付けのデータに基づいて集計することで算出すればよい。
【００２９】
続いてステップ２５５では、ステップ２５０の表示に基づくユーザの入力部１２を用いた選択を受け付け、ユーザによる入力部１２を用いた選択終了の操作を検出すると、続いてステップ２６０を実行する。
【００３０】
ステップ２６０では、そのステップ２５５で受け付けた削除対象曲を、ハードディスクドライブ１５から消去し、その後ステップ２２０を再度実行する。
【００３１】
このような楽曲記録プログラム２００を処理部１６が実行することで、ミュージックサーバ１は、ハードディスクドライブ１５に記録するための新たな楽曲データの選択を受け付け（ステップ２１０参照）、その受け付けた楽曲を格納するために必要な空き領域がハードディスクドライブ１５にないと判定すると（ステップ２２０参照）、ハードディスクドライブ１５中の楽曲から削除候補曲を抽出して（ステップ２４０参照）ユーザに表示し（ステップ２５０参照）、ユーザによる削除候補曲からの削除対象曲の選択を受け付け（ステップ２５５参照）、受け付けた削除対象曲をハードディスクドライブ１５から削除する（ステップ２６０参照）。すると、続いてハードディスクドライブ１５に必要な空き容量があると判定するので（ステップ２２参照）、続いてハードディスクドライブ１５に上記新たな楽曲データを記録する。
【００３２】
そして、ステップ２４０において抽出する削除候補曲としては、（１）ユーザがあらかじめ削除候補として選択した楽曲、（２）アルバム内楽曲連続再生中に再生がスキップされた回数が所定基準より多い楽曲、（３）再生回数が所定基準以上に多いアーティストの楽曲のうち最も再生回数が少ない楽曲またはアルバム、および（４）再生回数が所定基準より少ないアーティストの楽曲またはアルバムを優先し、ステップ２５０では、この順に楽曲またはアルバムのリストを表示する。このようになっているので、この車載楽曲再生装置は、記憶媒体中の楽曲の削除候補を、好みのアーティストの楽曲のうち再生した回数が最も少ないという、ユーザの嗜好を反映して絞り込むことができる。
【００３３】
なお、上記の実施形態において、ミュージックサーバ１が、車載楽曲再生装置に相当し、ハードディスクドライブ１５が書き換え可能な記憶媒体に相当する。また、処理部１６が、ハードディスクドライブ１５から読み出した楽曲データに基づいて音声信号をアンプ１３に出力する処理を行うことで、楽曲再生手段として機能する。
【００３４】
また、処理部１６が、楽曲記録プログラム２００のステップ２１０を実行することで楽曲受付手段として機能し、ステップ２４０、２５０を実行することで候補表示手段として機能し、ステップ２５５を実行することで選択受付手段として機能し、ステップ２６０を実行することで楽曲削除手段として機能し、ステップ２３０を実行することで楽曲記録手段として機能する。
【図面の簡単な説明】
【００３５】
【図１】ミュージックサーバ１のハードウェア構成を示す図である。
【図２】処理部１６が実行する削除候補選択受付プログラム１００のフローチャートである。
【図３】ステップ１１０における表示画面２０の図である。
【図４】処理部１６が実行する楽曲記録プログラム２００のフローチャートである。
【符号の説明】
【００３６】
１…ミュージックサーバ、１０…画像表示部、１１…外部メディアドライブ、
１２…入力部、１３…アンプ、１４…スピーカ、１５…ハードディスクドライブ、
１６…処理部、１７…ＲＡＭ、１８…ＲＯＭ、２０…表示画面、
２１〜２３…楽曲名表示、２４〜２６…削除候補選択ボタン、
１００…削除候補選択受付プログラム、２００…楽曲記録プログラム。
【図１】
2006196048.tif 000003
【図２】
2006196048.tif 000004
【図３】
2006196048.tif 000005
【図４】
2006196048.tif 000006